(57)【要約】      （修正有）【課題】使用者の筋肉を運動するためのＥＭＳ（電気筋肉刺激）素子が取り付けられたＥＭＳスーツ及びＥＭＳ管理システムであって、身体の特定の部分のみ、ＥＭＳ素子を動作させたり、身体の特定の部分のみ設定時間を制御する。【解決手段】スーツに取り付けられ、使用者の筋肉を運動するための電流を流す複数のＥＭＳ素子Ｅ１−１〜Ｅ１０−２と、複数のＥＭＳ素子Ｅ１−１〜Ｅ１０−２からそれぞれ流す電流を、制御する制御部１１と、を備えるＥＭＳスーツ１０であって、複数のＥＭＳ素子のそれぞれの動作条件を記憶するための記憶部１２を備え、制御部１１は動作条件に基づいて、それぞれ流す電流を制御する。記憶部１２は、複数のＥＭＳ素子Ｅ１−１〜Ｅ１０−２のそれぞれを識別する複数の識別情報と、それぞれが電流を流した時間を特定する情報とを記憶する。【選択図】図１
0003218662.tif 000002
【実用新案登録請求の範囲】
【請求項１】
スーツに取り付けられ、使用者の筋肉を運動するための電流を流す複数のＥＭＳ素子と、
前記複数のＥＭＳ素子からそれぞれ流す電流を、各ＥＭＳ素子ごとに制御する制御部と、
を備えたＥＭＳスーツ。
【請求項２】
スーツに取り付けられ、使用者の筋肉を運動するための電流を流す複数のＥＭＳ素子と、
前記複数のＥＭＳ素子のそれぞれの動作条件を記憶するための記憶部と、
前記動作条件に基づいて、前記複数のＥＭＳ素子からそれぞれ流す電流を制御する制御部と、
を備えたＥＭＳスーツ。
【請求項３】
前記記憶部は、前記複数のＥＭＳ素子のそれぞれを識別する複数の識別情報と、前記複数のＥＭＳ素子のそれぞれが電流を流した時間を特定する情報とを記憶する、請求項２に記載のＥＭＳスーツ。
【請求項４】
スーツに取り付けられ、使用者の筋肉を運動するための電流を流す複数のＥＭＳ素子と、該複数のＥＭＳ素子からそれぞれに流す電流を制御する第１の制御部と、を備えたＥＭＳスーツと、
前記ＥＭＳスーツの第１識別情報と前記使用者の第２識別情報との少なくとも一方、及び前記複数のＥＭＳ素子のそれぞれの動作条件を記憶するための記憶部と、前記動作条件に基づいて、前記第１の制御部に前記複数のＥＭＳ素子からそれぞれ流す電流を制御するための制御信号を送る第２の制御部とを備えた管理装置と、
を有し、
前記第２の制御部は、前記記憶部に記憶された前記第１識別情報が前記管理装置に入力された前記ＥＭＳスーツの識別情報と一致し、又は／及び前記記憶部に記憶された前記第２識別情報が前記管理装置に入力された前記使用者の識別情報と一致したときに、前記制御信号を前記第１の制御部に送る、ＥＭＳ管理システム。
【請求項５】
前記記憶部は、前記複数のＥＭＳ素子のそれぞれを識別する複数の識別情報と、前記複数のＥＭＳ素子のそれぞれが電流を流した時間を特定する情報とを記憶する、請求項４に記載のＥＭＳ管理システム。
【考案の詳細な説明】
【技術分野】
【０００１】
本考案は、使用者の筋肉を運動するための電流を流す複数のＥＭＳ素子が取り付けられたＥＭＳスーツ及びＥＭＳ管理システムに関する。
【背景技術】
【０００２】
近年、電気筋肉刺激（EMS(Electrical Muscle Stimulation）)を用いたトレーニングが注目されている。ＥＭＳは電気信号を外部より神経組織や筋組織に与えて、筋肉を運動するシステムである。ＥＭＳを用いたトレーニングは、体を激しく動かす運動を行うことなくトレーニングを行うことが可能となる。
【０００３】
特許文献１には、ＥＭＳを用いた電気的刺激装置が開示されている。この電気的刺激装置は、生体の皮膚に当接される電極パッドと、電極パッドを介して生体に刺激を与えるための電流を発生する電流発生部と、電極パッドを介して生体に熱作用を生じさせるための電磁波（超短波ＶＨＦ）を発生する電磁波発生部と、を備えている。  電流発生部が発生した電流は、電極パッドを介して使用者の腹部を貫通して流れ、筋肉を収縮させることにより、筋力向上効果を得ることができる。電磁波発生部が発生する電磁波は、周波数が３０ＭＨｚ〜３００ＭＨｚの超短波ＶＨＦであり、この電磁波は、生体組織の質量の違いより、特に、筋肉よりも軽い脂肪の細胞同士を振動させ、脂肪組織に熱を発生させて脂肪燃焼効果が生じる。
【先行技術文献】
【特許文献】
【０００４】
【特許文献１】特開２０１８−６４７２７号公報
【考案の概要】
【考案が解決しようとする課題】
【０００５】
ＥＭＳを用いた電気的刺激装置を身体の複数箇所に取り付けてトレーニング効果を増大される試みがなされている。
【０００６】
本考案は、使用者の筋肉を運動するための電流を流す複数のＥＭＳ素子をスーツに取り付けたＥＭＳスーツ及びこのＥＭＳスーツを用いたＥＭＳ管理システムを提供することを目的とする。
【課題を解決するための手段】
【０００７】
（１）  本考案に係るＥＭＳスーツは、スーツに取り付けられ、使用者の筋肉を運動するための電流を流す複数のＥＭＳ素子と、
前記複数のＥＭＳ素子からそれぞれ流す電流を、各ＥＭＳ素子ごとに制御する制御部と、
を備えたＥＭＳスーツである。
（２）  また本考案に係るＥＭＳスーツは、スーツに取り付けられ、使用者の筋肉を運動するための電流を流す複数のＥＭＳ素子と、
前記複数のＥＭＳ素子のそれぞれの動作条件を記憶するための記憶部と、
前記動作条件に基づいて、前記複数のＥＭＳ素子からそれぞれ流す電流を制御する制御部と、
を備えたＥＭＳスーツである。
（３）  上記（２）のＥＭＳスーツにおいて、前記記憶部は、前記複数のＥＭＳ素子のそれぞれを識別する複数の識別情報と、前記複数のＥＭＳ素子のそれぞれが電流を流した時間を特定する情報とを記憶してもよい。
（４）  本考案に係るＥＭＳ管理システムは、スーツに取り付けられ、使用者の筋肉を運動するための電流を流す複数のＥＭＳ素子と、該複数のＥＭＳ素子からそれぞれに流す電流を制御する第１の制御部と、を備えたＥＭＳスーツと、
前記ＥＭＳスーツの第１識別情報と前記使用者の第２識別情報との少なくとも一方、及び前記複数のＥＭＳ素子のそれぞれの動作条件を記憶するための記憶部と、前記動作条件に基づいて、前記第１の制御部に前記複数のＥＭＳ素子からそれぞれ流す電流を制御するための制御信号を送る第２の制御部とを備えた管理装置と、
を有し、
前記第２の制御部は、前記記憶部に記憶された前記第１識別情報が前記管理装置に入力された前記ＥＭＳスーツの識別情報と一致し、又は／及び前記記憶部に記憶された前記第２識別情報が前記管理装置に入力された前記使用者の識別情報と一致したときに、前記制御信号を前記第１の制御部に送る、ＥＭＳ管理システムである。
（５）  上記（４）のＥＭＳ管理システムにおいて、前記記憶部は、前記複数のＥＭＳ素子のそれぞれを識別する複数の識別情報と、前記複数のＥＭＳ素子のそれぞれが電流を流した時間を特定する情報とを記憶してもよい。
【考案の効果】
【０００８】
本考案によれば、複数のＥＭＳ素子からそれぞれ流す電流を、各ＥＭＳ素子ごとに制御するため、身体の特定の部分のみ、ＥＭＳ素子を動作させたり、身体の特定の部分のみ設定時間を制御することができる。
【図面の簡単な説明】
【０００９】
【図１】本考案の第１の実施形態のＥＭＳスーツの構成を示すブロック図である。
【図２】本考案の第１の実施形態のＥＭＳスーツの具体的な構成を示す身体の正面図である。
【図３】本考案の第１の実施形態のＥＭＳスーツの具体的な構成を示す身体の背面図である。
【図４】本考案の第１の実施形態のＥＭＳスーツに管理装置を接続した、本考案の第２の実施形態のＥＭＳ管理システムを示すブロック図である。
【図５】本考案の第３の実施形態のＥＭＳ管理システムの構成を示すブロック図である。
【考案を実施するための形態】
【００１０】
以下、本考案の実施形態について図面を用いて詳細に説明する。
【００１１】
（第１の実施形態）
図１は本考案の第１の実施形態のＥＭＳスーツの構成を示すブロック図である。図２は第１の実施形態のＥＭＳスーツの具体的な構成を示す身体の正面図である。図３は第１の実施形態のＥＭＳスーツの具体的な構成を示す身体の背面図である。
【００１２】
図１に示すように、ＥＭＳスーツ１０はトレーニングスーツに取り付けられた２０個のＥＭＳ素子Ｅ１−１〜Ｅ１０−２、及びＥＭＳ素子Ｅ１−１〜Ｅ１０−２制御信号を送る制御部１１、及び記憶部１２を備えている。ＥＭＳ素子は、身体の左右で一対となるように設けられており、ここでは右半身に１０個のＥＭＳ素子Ｅ１−１〜Ｅ１０−１、左半身に１０個のＥＭＳ素子Ｅ１−２〜Ｅ１０−２が設けられている。ＥＭＳ素子の数はトレーニングを行う部位に基づいて任意に決められる。
【００１３】
図２及び図３に示すように、トレーニングスーツは、ベスト１０−１、腕バンド１０−２Ａ，１０−２Ｂ、パンツ１０−３を備えている。トレーニングスーツにおいて、図２に示すように、使用者の前面において、二頭筋部(Biceps)にＥＭＳ素子Ｅ１−１，Ｅ１−２、胸部（Breast）にＥＭＳ素子Ｅ２−１，Ｅ２−２、腹部 (Abdomen)にＥＭＳ素子Ｅ３−１，Ｅ３−２、前太もも部(Front Thigh)にＥＭＳ素子Ｅ４−１，Ｅ４−２が装着される。また、図３に示すように、使用者の後面において、僧帽筋部(Trapezius)にＥＭＳ素子Ｅ５−１，Ｅ５−２、上腕三頭筋(Triceps)にＥＭＳ素子Ｅ６−１，Ｅ６−２、背筋部(Back Muscles)にＥＭＳ素子Ｅ７−１，Ｅ７−２、ウエスト部(Waist)にＥＭＳ素子Ｅ８−１，Ｅ８−２、ヒップ部(Hip)にＥＭＳ素子Ｅ９−１，Ｅ９−２、後太もも部(Back Thigh)にＥＭＳ素子Ｅ１０−１，Ｅ１０−２が装着される。
【００１４】
２０個のＥＭＳ素子Ｅ１−１〜Ｅ１０−２はそれぞれ、一対の電極パッドと、制御部１１からの制御信号により一対の電極パッド間に微弱電流パルスを流す電流発生部とを備えている。ＥＭＳ素子Ｅ１−１〜Ｅ１０−２のそれぞれの電流発生部は、一対の電極パッドを介して使用者の筋肉を運動するための電流を流す。電流発生部に供給される電力は制御部１１から供給されてもよいし、ＥＭＳ素子Ｅ１−１〜Ｅ１０−２がそれぞれ電池を備え、この電池から電力が供給されてもよい。
【００１５】
制御部１１は、ＥＭＳ素子Ｅ１−１〜Ｅ１０−２のそれぞれに制御信号を送って、ＥＭＳ素子Ｅ１−１〜Ｅ１０−２全てを動作させてもよく、ＥＭＳ素子Ｅ１−１〜Ｅ１０−２のうち選択した１又は複数のＥＭＳ素子に制御信号を送って動作させてもよく、ＥＭＳ素子Ｅ２−１，Ｅ２−２のような一対のＥＭＳ素子ごとに動作させてもよい。これらのいずれも、各ＥＭＳ素子ごとに制御する動作の態様となる。また、ＥＭＳ素子Ｅ１−１〜Ｅ１０−２をそれぞれ一対の電極パッドから構成し、制御部１１の電流発生部からＥＭＳ素子Ｅ１−１〜Ｅ１０−２の電極パッドに直接微弱電流パルスを流すようにしてもよい。いずれの場合も、制御部１１は、ＥＭＳ素子Ｅ１−１〜Ｅ１０−２からそれぞれ流す電流を、各ＥＭＳ素子ごとに制御する態様となる。
【００１６】
また、ＥＭＳ素子Ｅ１−１〜Ｅ１０−２は同じ動作時間や同じ電流値で動作させてもよいが、ＥＭＳ素子Ｅ１−１〜Ｅ１０−２の一部の動作時間や電流値は他のＥＭＳ素子Ｅ１−１〜Ｅ１０−２の動作時間や電流値とは異なる値に変えてもよい。例えば、腹部のトレーニングを重点的に行いたい場合には、腹部に装着するＥＭＳ素子Ｅ３−１，Ｅ３−２の動作時間を長くするようにしてもよい。
【００１７】
記憶部１２は、ＥＭＳスーツを用いたトレーニング条件（複数のＥＭＳ素子のそれぞれの動作条件）及びトレーニング履歴（複数のＥＭＳ素子のそれぞれの動作履歴）を記憶している。
【００１８】
ＥＭＳ素子Ｅ１−１〜Ｅ１０−２のそれぞれの動作条件を設定する場合、使用者は、例えば、予め表１に示したように、ＥＭＳ素子Ｅ１−１〜Ｅ１０−２に電流を流している時間（設定時間）を設定して、記憶部１２に記憶する。そして、設定時間内に繰り返される、作動時間（Pulse Time）と停止時間(Pause Time)とを設定する。例えば、作動時間を６秒とし、停止時間を２秒とする。また、ＥＭＳ素子Ｅ１−１〜Ｅ１０−２に１秒間当たりの作動回数（Frequency）、ＥＭＳ素子Ｅ１−１〜Ｅ１０−２の振動の強さ(Pulse Wide)を設定して記憶部１２に記憶してもよい。なお、設定時間、作動時間、停止時間、作動回数、振動の強さ等の動作条件の一部又は全部がそれぞれ異なる、準備運動モード、基本モード、強力モード、メタボリックシンドローム対象モード、リラックスモード、オーダーメイドモード等のモードを選択して記憶しておいてもよい。動作条件は使用者が任意に変更してもよい。ＥＭＳスーツのスーツ番号、ＥＭＳ素子の素子番号はＥＭＳスーツの出荷時に記憶部１２に記憶されている。そして、使用者はＥＭＳスーツを装着して、制御部１１にスタートスイッチ等により開始信号を送る。制御部１１は記憶部１２から素子番号に対応する設定時間を読み出し、ＥＭＳ素子Ｅ１−１〜Ｅ１０−２に電流を流す動作を開始してから設定時間が経過するまでＥＭＳ素子Ｅ１−１〜Ｅ１０−２に制御信号を送り、ＥＭＳ素子Ｅ１−１〜Ｅ１０−２を動作させる。ここでは、ＥＭＳ素子Ｅ１−１、Ｅ１−２の設定時間のみが２０分で、その他のＥＭＳ素子の設定時間が３０分である場合を示している。
【００１９】
【表１】
0003218662.tif 000003
ＥＭＳ素子Ｅ１−１〜Ｅ１０−２を用いたトレーニングの履歴（複数のＥＭＳ素子のそれぞれの動作履歴）を残す場合には、例えば、制御部１１は表２に示すように、ＥＭＳスーツのスーツ番号、使用日、ＥＭＳ素子の素子番号、使用開始時刻及び使用終了時刻を記憶部１２に記憶する。ＥＭＳ素子の素子番号はＥＭＳ素子Ｅ１−１〜Ｅ１０−２のそれぞれを識別する識別情報となり、使用開始時刻及び使用終了時刻はＥＭＳ素子Ｅ１−１〜Ｅ１０−２のそれぞれが電流を流した時間を特定する情報となる。
【００２０】
【表２】
0003218662.tif 000004
【００２１】
本実施形態では、制御部１１が、ＥＭＳ素子Ｅ１−１〜Ｅ１０−２からそれぞれ流す電流を、各ＥＭＳ素子ごとに制御するため、身体の特定の部分のみ、ＥＭＳ素子を動作させたり、身体の特定の部分のみ設定時間を長くすることができる。
【００２２】
制御部１１は通信機能を備え、パーソナルコンピュータ、スマートフォン等の情報機器に、有線又は無線でＥＭＳ素子Ｅ１−１〜Ｅ１０−２（ＥＭＳ素子Ｅ１−１〜Ｅ１０−２のそれぞれの動作履歴）を送信するようにしてもよい。使用者は情報機器に表示されるトレーニングの履歴に基づいてトレーニング状況を把握することができ、必要に応じて、情報機器から制御部１１に制御信号を送り、設定時間、作動時間、停止時間、作動回数、振動の強さ等の動作条件の一部又は全部を変えることができる。ＥＭＳスーツの製造会社又は販売会社が使用者にＥＭＳスーツ用のアプリケーションを提供するようにすれば、当該アプリケーションをインストールした情報機器は当該アプリケーションにより、一週間や一カ月単位でトレーニング状況をグラフ化したり、体重や体脂肪率等の他のデータと合わせてトレーニングの効果をグラフ化する等の情報処理を行うことができる。
【００２３】
ＥＭＳスーツの製造会社又は販売会社は、使用者の許諾を受けて、提供したアプリケーションによりインターネット等のネットワークを介して、スーツ番号、使用者の年齢、性別、トレーニングの履歴等のデータ（情報）を受信して、ＥＭＳスーツを使用する使用者情報、使用者のトレーニング状況を把握して、製品販売や製品開発のデータとすることができる。
【００２４】
（第２の実施形態）
図４は、第１の実施形態のＥＭＳスーツに管理装置を接続した、本考案の第２の実施形態のＥＭＳ管理システムを示すブロック図である。図４のＥＭＳスーツ１０Ａにおいて、図１のＥＭＳスーツ１０の構成部材と同一構成部材については同一符号を付して説明を省略する。
【００２５】
図４に示すように、ＥＭＳ管理システム１は、ＥＭＳスーツ１０Ａ及び管理装置２０を備えている。管理装置２０は、表示部２１、制御部２２、記憶部２３、及び通信部２４を備えている。ＥＭＳスーツ１０ＡはＥＭＳスーツ１０の記憶部１２がない点を除いてＥＭＳスーツ１０の構成と同じである。ＥＭＳスーツ１０Ａの制御部１１は第１の制御部、制御部２２は第２の制御部となる。なお、ＥＭＳスーツ１０Ａに制御部１１を設けず、管理装置２０の制御部２２が制御部１１の動作を行ってもよい。
【００２６】
制御部２２はＥＭＳスーツ１０Ａの制御部１１と有線又は無線で接続され、制御部２２と制御部１１とは例えばコネクタを介して接続され、着脱可能となっている。制御部２２と制御部１１とを着脱可能とすることで、管理装置２０は複数のＥＭＳスーツ１０Ａの管理が可能となる。
【００２７】
制御部２２は、ＥＭＳ素子Ｅ１−１〜Ｅ１０−２を動作させる制御信号を制御部１１に送る。制御部１１はその制御信号に基づいて、ＥＭＳ素子Ｅ１−１〜Ｅ１０−２のうちの動作させるＥＭＳ素子に対して制御信号を送る。ＥＭＳ素子Ｅ１−１〜Ｅ１０−２をそれぞれ一対の電極パッドから構成し、制御部２２からの制御信号に基づいて、制御部１１の電流発生部からＥＭＳ素子Ｅ１−１〜Ｅ１０−２の電極パッドに直接微弱電流パルスを流すようにしてもよい。
【００２８】
記憶部２３はトレーニング条件（複数のＥＭＳ素子のそれぞれの動作条件）及びトレーニング履歴（複数のＥＭＳ素子のそれぞれの動作履歴）を記憶する。管理装置２０の管理者は表３に示すように、記憶部２３に、使用者ごとに、使用者番号、スーツ番号、ＥＭＳ素子の素子番号、及び設定時間を記憶部２３に記憶する。ここで、記憶部２３に記憶されたスーツ番号はＥＭＳスーツの第１識別情報となり、使用者番号は使用者の第２識別情報となる。
【００２９】
使用者が用いるＥＭＳスーツが決まっていれば、記憶部２３に、使用者番号とスーツ番号は一方のみを記憶してもよいが、両方記憶すれば、使用者が誤って異なるＥＭＳスーツを着用したり、ＥＭＳスーツの使用者が変わった場合に、ＥＭＳスーツが動作しないようにすることができる。表３では使用者番号ＸＡ−１と使用者番号ＸＡ−２の２人の使用者が管理装置２０を用いる場合を示している。
【００３０】
【表３】
0003218662.tif 000005
【００３１】
例えば、使用者番号ＸＡ−１の使用者は、スーツ番号ＥＭＳ−１のＥＭＳスーツを装着して、使用者番号ＸＡ−１を記憶したカードで管理装置２０に使用者番号ＸＡ−１を入力し、且つ制御部２２が制御部１１からスーツ番号ＥＭＳ−１を取得する。なお、制御部１１はスーツ番号を予め記憶しており、制御部２２と制御部１１とが、例えばコネクタを介して接続されると、制御部２２が制御部１１からスーツ番号ＥＭＳ−１を取得するができる（制御部２２にスーツ番号ＥＭＳ−１が入力される）。その後、使用者は、制御部２２にスタートスイッチ等により開始信号を送る。
表示部２１に、パスワード表示画面を表示して使用者が自身の使用者番号ＸＡ−１のパスワードを入力して、使用者を識別できるようにしてもよい。
【００３２】
ここでは、使用者番号ＸＡ−１とスーツ番号ＥＭＳ−１とは結びつけられて記憶部２３に記憶されており、記憶部２３に記憶された使用者番号ＸＡ−１とスーツ番号ＥＭＳ−１は、入力された使用者番号ＸＡ−１、入力されたスーツ番号ＥＭＳ−１とそれぞれ一致する。そこで、制御部２２は、記憶部２３から素子番号Ｅ１−１〜Ｅ１０−２と素子番号Ｅ１−１〜Ｅ１０−２に対応する設定時間を読み出して、制御信号を制御部１１に送る。制御部１１はその制御信号に基づいて、ＥＭＳ素子Ｅ１−１〜Ｅ１０−２のうちの動作させるＥＭＳ素子に対して制御信号を送り、ＥＭＳ素子Ｅ１−１〜Ｅ１０−２のうちの選択したＥＭＳ素子を動作させる。入力した使用者番号とスーツ番号と結びついてが記憶部２３に記憶されていない場合、又は入力した使用者番号とスーツ番号のいずれも記憶部２３に記憶されていない場合には、表示部２１に「使用者番号とスーツ番号は記憶された使用者番号とスーツ番号と一致していません。」、「入力した使用者番号は登録されていません」、又は「入力したスーツ番号は登録されていません」等と表示する。
【００３３】
制御部２２は、ＥＭＳ素子Ｅ１−１〜Ｅ１０−２の動作の有無、動作の残り時間等を表示部２１に表示する。
ＥＭＳ素子Ｅ１−１〜Ｅ１０−２を用いたトレーニングの履歴（複数のＥＭＳ素子のそれぞれの動作履歴）を残す場合には、例えば、制御部２２は表４に示すように、使用者番号、ＥＭＳスーツのスーツ番号、使用日、ＥＭＳ素子の素子番号、使用開始時刻及び使用終了時刻を記憶部に記憶する。表４では使用者番号ＸＡ−１と使用者番号ＸＡ−２の２人の使用者の場合を示している。ＥＭＳ素子の素子番号はＥＭＳ素子Ｅ１−１〜Ｅ１０−２のそれぞれを識別する識別情報となり、使用開始時刻及び使用終了時刻はＥＭＳ素子Ｅ１−１〜Ｅ１０−２のそれぞれが電流を流した時間を特定する情報となる。
【００３４】
【表４】
0003218662.tif 000006
【００３５】
制御部２２は通信部２４を備え、使用者のパーソナルコンピュータ、スマートフォン等の情報機器にトレーニングの履歴を送信するようにしてもよい。情報機器はトレーニングの履歴に基づいて使用者はトレーニング状況を把握することができ、必要に応じて、情報機器から制御部１１に制御信号を送り、設定時間、作動時間、停止時間、作動回数、振動の強さ等の動作条件の一部又は全部を変えることができる。ＥＭＳ管理システムの製造会社又は販売会社は管理装置にＥＭＳスーツ用のアプリケーションを提供すれば、当該アプリケーションを備えた管理装置は当該アプリケーションにより、一週間や一カ月単位でトレーニング状況を表示部２１でグラフ化したり、体重や体脂肪率等の他のデータと合わせてトレーニングの効果を表示部２１でグラフ化することができる。
【００３６】
ＥＭＳ管理システムの製造会社又は販売会社は、使用者の許諾を受けて、アプリケーションによりインターネット等のネットワークを介して、管理装置の識別番号、使用者の年齢、性別、トレーニングの履歴等のデータ（情報）を受信して、管理装置の設置場所、ＥＭＳスーツを使用する使用者情報、及び使用者のトレーニング状況を把握して、製品販売や製品開発のデータとすることができる。
【００３７】
（第３の実施形態）
図５は、本考案の第３の実施形態のＥＭＳ管理システムの構成を示すブロック図である。第２の実施形態では、管理装置が個別にＥＭＳ管理システムの製造会社又は販売会社にデータを送信する場合について説明したが、管理センター装置が管理装置からデータを収集して分析し、ＥＭＳ管理システムの製造会社又は販売会社に分析データを送信するようにしてもよい。
【００３８】
図４に示すように、ＥＭＳ管理システム２は、ＥＭＳスーツ１０Ａ−１〜１０Ａ−ｎ、ＥＭＳスーツ１０Ａ−１〜１０Ａ−ｎと接続される管理装置２０−１〜２０−ｎ、インターネット等のネットワーク３０、管理センター装置４０、ＥＭＳ製造会社（ここでは、ＥＭＳ管理システムの製造会社）５０、及びＥＭＳ販売会社（ここでは、ＥＭＳ管理システムの販売会社）６０を備えている。
【００３９】
なお、ネットワーク３０は特に限定されないが、例えば、同じスポーツジム内に構築されたＬＡＮ（Local Area Network）や、インターネット等である。ネットワーク３０における通信方式や、有線接続および無線接続のいずれであるかについては、特に限定されない。管理センター装置４０と、ＥＭＳ製造会社５０、及びＥＭＳ販売会社６０との接続は、例えば、インターネット等があげられる。
【００４０】
管理センター装置４０は、ＥＭＳ製造会社５０から得られる、ＥＭＳスーツのスーツ番号と製造年月日等の情報、ＥＭＳ販売会社６０から得られる、管理装置の識別番号等で特定されるＥＭＳ管理システムの販売地、販売数量等の情報、及び管理装置２０−１〜２０−ｎからネットワーク３０を介して得られる、管理装置の識別番号、使用者の年齢、性別、トレーニングの履歴等の情報を受信して、地域、年齢、性別等によるＥＭＳ管理システムの利用状況を分析してＥＭＳ製造会社５０及びＥＭＳ販売会社６０に提供することができる。なお、管理センター装置４０は、第２の実施形態に限らず第１の実施形態にも適用でき、その場合には管理センター装置４０は、制御部１１からスーツ番号、使用者の年齢、性別、トレーニングの履歴等の情報を受信して、年齢、性別等によるＥＭＳスーツの利用状況を分析してＥＭＳ製造会社（ここでは、ＥＭＳスーツの製造会社）５０及びＥＭＳ販売会社（ここでは、ＥＭＳスーツの販売会社）６０に提供することができる。
【００４１】
上述した各実施形態は、本考案の好適な実施形態ではあるが、上記実施形態のみに本考案の範囲を限定するものではなく、本考案の要旨を逸脱しない範囲において種々の変更を施した形態での実施が可能である。
【符号の説明】
【００４２】
１  ＥＭＳ管理システム
１０、１０Ａ  ＥＭＳスーツ
１１、２２  制御部
１２、２３  記憶部
２４  通信部
Ｅ１−１〜Ｅ１０−２  ＥＭＳ素子
【図１】
0003218662.tif 000007
【図２】
0003218662.tif 000008
【図３】
0003218662.tif 000009
【図４】
0003218662.tif 000010
【図５】
0003218662.tif 000011